(57)【要約】【課題】指向性の強い貝の反射光を広く放射することができる無垢の天然貝スプーンを提供する。【解決手段】裏面３側が凹となる湾曲板状の天然貝スプーンにおいて、スプーンの表面４側の縁部５を、隣接する表面４に対し５〜４５度の角度αで裏面側に傾斜する平らな斜面に形成する。【選択図】図１
2015216921.tif 000002
【特許請求の範囲】
【請求項１】
真珠光沢層の無垢の貝からなり、前部から後部にかけ裏面側が凹となる湾曲板状に形成された天然貝スプーンにおいて、前記天然貝スプーンの表面側の縁部を、隣接する表面に対し５〜４５度の角度で裏面側に傾斜する平らな斜面に形成したことを特徴とする天然貝スプーン。
【発明の詳細な説明】
【発明が属する技術分野】
【０００１】  本発明は、真珠光沢層を有する無垢の天然貝からなるスプーンルアーに関し、特に、指向性の強い貝の反射光を広く放射させることができる天然貝スプーンに関するものである。
【背景技術】
【０００２】  アワビや夜光貝、白蝶貝等の真珠光沢を有する貝は、不透明の外皮部分を削り落とし、真珠光沢層を露出させるとともに、前部から後部にかけ裏面側が凹となる湾曲板状に研削して、天然貝のスプーンルアーとして使用されている。【０００３】  これら無垢の天然貝スプーンは、その自然なパール色の反射光により、例えば、レイクトローリングでのトラウト類に威力を発揮することが知られており、湖のイワナやサクラマス等をターゲットとする釣人の間では、特にスレている魚に効果的なルアーとして絶大な人気がある。
【発明の開示】
【発明が解決しようとする課題】
【０００４】  ところで、このような天然貝スプーンを構成する貝においては、その反射光が指向性が強く、例えば、右側から見ると良く光るのに、左側から見るとあまり光らなかったりする。
この点においては、一般的な金属製のスプーンの方が指向性のない広い角度で光るので、使い勝手が良い場合もある。【０００５】  本発明は、上記従来の天然貝スプーンが有する問題点に鑑み、指向性の強い貝の反射光を広く放射させることができる天然貝スプーンを提供することを目的とする。
【課題を解決するための手段】
【０００６】  上記目的を達成するため、本発明の天然貝スプーンは、真珠光沢層の無垢の貝からなり、前部から後部にかけ裏面側が凹となる湾曲板状に形成された天然貝スプーンにおいて、前記天然貝スプーンの表面側の縁部を、隣接する表面に対し５〜４５度の角度で裏面側に傾斜する平らな斜面に形成したことを特徴とする。
【発明の効果】
【０００７】  本発明の天然貝スプーンによれば、天然貝スプーンの表面側の縁部を、隣接する表面に対し５〜４５度の角度で裏面側に傾斜する平らな斜面に形成することから、この縁部にプリズム的な作用を付与し、スプーンの表面とは異なる反射光を放射させることができ、これにより、表面が光らない角度でも縁部を光らせることができる。
その結果、水中でアクションして揺れ動くスプーンは、入れ替わりで常にどこかが光っている状態になり、この複雑な貝の反射光によってルアーを魚に強くアピールすることができる。
また、スプーン表面とは異なる反射光を放射する縁部は、違う色や反射光の強弱でスプーンの輪郭を強調し、スプーンの意匠性を格段に向上させることができる。
ここで、スプーンの縁部を５〜４５度の角度で傾斜させることにより、良好なプリズムの作用を得ることができる。
【発明を実施するための最良の形態】
【０００８】  以下、本発明の天然貝スプーンの実施の形態を、図面に基づいて説明する。
図１〜図２に、本発明の一実施例を天然貝スプーンとして示す。【０００９】  この天然貝スプーンは、炭酸カルシウムを主成分とする真珠光沢層を有する無垢の天然貝、例えば、夜光貝や白蝶貝等の貝殻を短冊状に切り出すとともに、細長い所定のスプーン形状に外形を整え、外側の茶色の外皮部分を削り落として内部の独特の真珠光沢層を露出させている。
すなわち、この天然貝スプーンは、後述するアイレット６ａ，６ｂの金属パイプを除き、全てが真珠光沢層で構成されている。【００１０】  そして、この天然貝スプーンは、前部１から後部２にかけ裏面３側が凹となる湾曲した板状に形成されるとともに、スプーンの表面４側の縁部５が、隣接する表面４に対し１０又は２０度の角度αで裏面側に傾斜する平らな斜面に形成されている。
スプーンの縁部５を５〜４５度の角度αで傾斜させることにより、より良好なプリズムの作用を得ることができる。【００１１】  なお、スプーンの前部１と後部２には、それぞれ金属パイプ（図示省略）が嵌挿されたアイレット６ａ，６ｂが設けられている。
先端側のアイレット６ａには、図示省略するスプリットリングを介してスイベルが、後部２側のアイレット６ｂには、図示省略するスプリットリングを介してフックがそれぞれ装着される。【００１２】  スプーンの表面４は、センター４１を峰のように少し高くしているが、平らか平らに近い平面であり、スプーンの縁部５は、この隣接する略平面の表面４に対し、ほぼ一律の角度αで裏面側に傾斜する平面にカットされている。【００１３】  なお、本実施例では、スプーンの前と横の縁部５のみを前記斜面として形成しているが、全周の縁部５を斜面として形成したり、断続的に縁部５を斜面とすることもできる。【００１４】  また、本実施例のように、斜面の終端部がテーパ状に細くなるように、斜面のカットを終端部に行くに従い漸次浅くすることができる。
これにより、自然な外観で縁部５を強調し、意匠性をさらに向上させることができる。【００１５】  スプーンの縁部５の角度αは、効果的なプリズム作用を得るために、隣接するスプーンの表面４に対して５〜４５度の範囲の角度で傾斜することが好ましい。
また、縁部５の斜面の幅は、本実施例では、テーパ状の終端部をのぞき、約１〜２ｍｍであるが、０．５〜２．５ｍｍの幅で設けることができる。
この０．５〜２．５ｍｍの幅を越えて、縁部５の斜面の幅をあまり広くすると、見栄えが悪くなり、強度も低下する。【００１６】  なお、貝の真珠光沢層は光を透過させる性質があり、スプーン縁部５を表面４とは異なる角度にカットすることにより、プリズムの作用を得ることができる。【００１７】  かくして、本実施例の天然貝スプーンは、真珠光沢層の天然貝スプーンの表面４側の縁部５を、隣接するこの表面４に対し５〜４５度の角度αで裏面側に傾斜する平らな斜面に形成することから、この縁部５にプリズム的な作用を付与し、スプーンの表面４とは異なる反射光を放射させることができ、これにより、表面４が光らない角度でも縁部５を光らせることができる。【００１８】  その結果、水中でアクションして揺れ動くスプーンは、入れ替わりで常にどこかが光っている状態になり、この複雑な貝の反射光によってルアーを魚に強くアピールすることができる。
また、スプーン表面４とは異なる反射光を放射する縁部５は、違う色や反射光の強弱でスプーンの輪郭を強調し、スプーンの意匠性を格段に向上させることができる。【００１９】  以上、本発明の実施例をスプーンを例に説明したが、本発明の天然貝スプーンはこの実施例の記載に限定されるものではない。
例えば、補強又は水による酸化白濁を防止するために、天然貝スプーンをウレタン等の樹脂でコーティングすることも可能である。
【産業上の利用可能性】
【００２０】  以上、本発明の天然貝スプーンは、天然貝スプーンの表面側の縁部を、隣接する表面に対し５〜４５度の角度で裏面側に傾斜する平らな斜面に形成したことから、この縁部にプリズム的な作用を付与してスプーンの表面とは異なる反射光を放射させ、表面が光らない角度でも縁部を光らせることができるという特性を有しており、無垢の天然貝で作成するスプーンルアーの用途に好適に用いることができる。
【図面の簡単な説明】
【００２１】
【図１】本発明の天然貝スプーンの一実施例を示す斜視図である。
【図２】図１のＡ−Ａ線拡大断面図である。
【符号の説明】
【００２２】１  前部
２  後部
３  裏面
４  表面
４１  センター
５  縁部
６ａ、６ｂ  アイレット
【図１】
2015216921.tif 000003
【図２】
2015216921.tif 000004